(57)【要約】【課題】より強固に閉封状態を維持することのできる包装用容器を提供する。【解決手段】蓋部１７は、第１口縁部に連設される閉塞板２１と、閉塞板２１の第１口縁部と対向する縁部に閉塞板折目線６７を介して連設される差込板２２と、差込板２２の第１折目線と対向する縁部に係止板折目線６９を介して連設される係止部２３ａと、係止部２３ａより延長され係止板折目線６９上又は係止部２３ａを始点及び終点として差込板２２側へ突出する第１切線７２によって差込板２２から分離可能に設けられる係止保持部２３ｂと、を有する係止板２３と、を備え、閉封状態から開封状態とする場合、補助板１８の自由端縁が差込板２２と係止板２３の係止部２３ａとの間に位置するとともに、係止板２３の係止保持部２３ｂが容器本体１４の内側にある物品８と接触し差込板２２と係止板２３が折り畳まれた状態を保持する。【選択図】図２
0003183806.tif 000002
【実用新案登録請求の範囲】
【請求項１】
開口部を有し、当該開口部から物品を収容する容器本体と、
前記開口部の第１口縁部に連設され、閉封状態において前記開口部を閉塞し、開封状態において前記開口部を開放する蓋部と、
前記第１口縁部と対向する第２口縁部に、閉封状態において前記容器本体に対して起立させる部分及び／又は前記容器本体の内面に重ねられる部分を有する補助板と、を備える包装用容器であって、
前記蓋部は、
前記第１口縁部に連設される閉塞板と、
前記閉塞板の前記第１口縁部と対向する縁部に第１折目線を介して連設される差込板と、
当該差込板の第１折目線と対向する縁部に第２折目線を介して連設される係止部と、当該係止部より延長され前記第２折目線上又は前記係止部を始点及び終点として前記差込板側へ突出する第１切線によって前記差込板から分離可能に設けられる係止保持部と、を有する係止板と、を備え、
閉封状態において、
前記補助板の自由端縁が前記容器本体の内側にあり、
前記差込板と前記係止板とは前記第２折目線で折り畳まれて、前記係止保持部が前記差込板と分離されて、前記容器本体の内側にあり、
閉封状態から開封状態とする場合、
前記補助板の自由端縁が前記差込板と前記係止板の前記係止部との間に位置するとともに、前記係止板の前記係止保持部が容器本体の内側にある物品と接触し前記差込板と前記係止板が折り畳まれた状態を保持することを特徴とする包装用容器。
【請求項２】
請求項１に記載の包装用容器であって、
前記補助板は、補助前面板と補助背面板とを有し、
閉封状態において前記補助背面板は前記容器本体に対して起立させた状態とし、前記補助前面板は前記補助背面板と重ねられる、ことを特徴とする包装用容器。
【請求項３】
請求項１又は２に記載の包装用容器であって、
前記容器本体は、前記第２口縁部の両端に隣接する第３口縁部に折込板が連設され、
当該折込板は、前記第３口縁部の近傍であって、前記第１口縁部側の端縁に突条片を有し、
前記蓋部は、閉封状態において前記突条片に対応する位置に、前記蓋部の側端縁を始点とし、前記蓋部の自由端側に突出する鉤状切線を有している、ことを特徴とする包装用容器。
【請求項４】
請求項３に記載の包装用容器であって、
前記補助板は、開口部の閉塞状態において鉤状切線と相対する位置に第２切線を有する、ことを特徴とする包装用容器。
【請求項５】
請求項１から請求項４のいずれか一項に記載の包装用容器であって、
前記開口部の近傍に第１破断線を有する、ことを特徴とする包装用容器。
【請求項６】
請求項５に記載の包装用容器であって、
開口用の第２破断線を有する、ことを特徴とする包装用容器。
【考案の詳細な説明】
【技術分野】
【０００１】
本考案は、包装用容器に関する。より詳細には、不正開封や内容物の改竄を防止する機能を備えた包装用容器に関する。
【背景技術】
【０００２】
従来、商品等の包装用容器として、容器本体の開口部の口縁部に、蓋部が連設された包装用容器が知られている。この蓋部が簡単に開いてしまうと、包装用容器に収容された商品が不用意にこぼれ出たり、展示中等の商品が包装用容器から不正に取り出されてしまったりする場合がある。また、不正に包装用容器が開封されて内部に異物が混入され、再び元通りに閉封された場合には、これに気付かず購入した者が損害を被る場合もある。このため、以前より、蓋部に係止片を設け、係止片を容器本体に係止させることにより蓋部を開きにくくした包装用容器が知られている（例えば、特許文献１参照）。
【先行技術文献】
【特許文献】
【０００３】
【特許文献１】特開２００７―７６６８４号公報
【考案の概要】
【考案が解決しようとする課題】
【０００４】
しかしながら、特許文献１の包装用容器では、蓋部の係止片は、蓋部を開封する方向に回動させると係止片が容器本体に対して抜け易い方向に向けて形成されている。このため、包装用容器の閉封状態を強固に維持できるものではない。
【０００５】
本考案は前記課題に鑑みてなされたものである。本考案の目的は、より強固に閉封状態を維持することのできる包装用容器を提供することである。
【課題を解決するための手段】
【０００６】
本考案の解決しようとする課題は以上の如くであり、次にこの課題を解決するための手段を説明する。
【０００７】
即ち、第１の考案では、開口部を有し、当該開口部から物品を収容する容器本体と、
前記開口部の第１口縁部に連設され、閉封状態において前記開口部を閉塞し、開封状態において前記開口部を開放する蓋部と、
前記第１口縁部と対向する第２口縁部に、閉封状態において前記容器本体に対して起立させる部分及び／又は前記容器本体の内面に重ねられる部分を有する補助板と、を備える包装用容器であって、
前記蓋部は、
前記第１口縁部に連設される閉塞板と、
前記閉塞板の前記第１口縁部と対向する縁部に第１折目線を介して連設される差込板と、
当該差込板の第１折目線と対向する縁部に第２折目線を介して連設される係止部と、当該係止部より延長され前記第２折目線上又は前記係止部を始点及び終点として前記差込板側へ突出する第１切線によって前記差込板から分離可能に設けられる係止保持部と、を有する係止板と、を備え、
閉封状態において、
前記補助板の自由端縁が前記容器本体の内側にあり、
前記差込板と前記係止板とは前記第２折目線で折り畳まれて、前記係止保持部が前記差込板と分離されて、前記容器本体の内側にあり、
閉封状態から開封状態とする場合、
前記補助板の自由端縁が前記差込板と前記係止板の前記係止部との間に位置するとともに、前記係止板の前記係止保持部が容器本体の内側にある物品と接触し前記差込板と前記係止板が折り畳まれた状態を保持することを特徴とする包装用容器とする。
【０００８】
第２の考案では、第１の考案であって、
前記補助板は、補助前面板と補助背面板とを有し、
閉封状態において前記補助背面板は前記容器本体に対して起立させた状態とし、前記補助前面板は前記補助背面板と重ねられる、ことを特徴とする包装用容器とする。
【０００９】
第３の考案では、第１又は第２の考案であって、
前記容器本体は、前記第２口縁部の両端に隣接する第３口縁部に折込板が連設され、
当該折込板は、前記第３口縁部の近傍であって、前記第１口縁部側の端縁に突条片を有し、
前記蓋部は、閉封状態において前記突条片に対応する位置に、前記蓋部の側端縁を始点とし、前記蓋部の自由端側に突出する鉤状切線を有している、ことを特徴とする包装用容器とする。
【００１０】
第４の考案では、第３の考案であって、
前記補助板は、開口部の閉塞状態において鉤状切線と相対する位置に第２切線を有する、ことを特徴とする包装用容器とする。
【００１１】
第５の考案では、第１から第４のいずれかの考案であって、
前記開口部の近傍に第１破断線を有する、ことを特徴とする包装用容器とする。
【００１２】
第６の考案では、第５の考案であって、
開口用の第２破断線を有する、ことを特徴とする包装用容器とする。
【考案の効果】
【００１３】
本考案によれば、蓋部を閉封状態から開封状態とする場合に、補助板、並びに、係止板と差込板が係止状態となり、強固に閉封状態を維持することができる。
【図面の簡単な説明】
【００１４】
【図１】本考案の実施形態に係る包装用容器１１の展開形成体１３の平面図。
【図２】容器本体１４を組み立てた状態の斜視図。
【図３】包装用容器１１を組み立てた状態の斜視図。
【図４】図２の７−７線における開口部１５周辺の断面図。
【図５】係止板２３が容器本体１４の内側に位置した状態の開口部１５周辺の断面図。
【図６】組み立てた状態の開口部１５周辺の断面図。
【図７】差込板２２と係止板２３並びに補助前面板５２の係止状態を示す断面図。
【図８】係止板２３と移動状態を示す簡略断面図。
【図９】別実施形態に係る包装用容器１１１の斜視図。
【考案を実施するための形態】
【００１５】
次に、考案の実施の形態について図１から図９を用いて説明する。  
【００１６】
本実施形態に係る包装用容器１１は、図１に示す展開形成体１３を組み立てて形成されるものであり、食品や医薬品等の物品８を収容する包装用容器である。包装用容器１１は、板紙、段ボールなどの厚紙で形成されている。厚紙の他、樹脂素材を用いた板状部材等で形成してもよい。  
【００１７】
図１、図２に示すように、包装用容器１１は、容器本体１４の一方に開口部１５を有し、他方に底部１６を有する。開口部１５には蓋部１７が連設される。包装用容器１１の組み立てが完了し、蓋部１７で開口部１５を閉塞した状態を閉封状態とし、蓋部１７を開いて開口部１５を開放した状態を開封状態とする。また、本実施形態では、容器本体１４に対して起立させた補助板１８を有する。
【００１８】
以下では、説明の容易のため、開口部１５が形成されている側を上側とし、底部１６が形成されている側を下側とする。図１の図示上側、図２の図示上側をそれぞれ上側とし、その反対側を下側とする。また、容器本体１４を組み立てた状態で蓋部１７が連設されている側を前側、その反対側を後側とする。尚、本実施例の包装用容器１１の水平方向の断面形状は長方形であるが、正方形や他の多角形状であってもよい。  
【００１９】
図１に示す展開形成体１３に沿って包装用容器１１を構成する部分を説明する。図１は、包装用容器１１の外側となる面を紙面手前側として示している。まず容器本体１４の側部を構成するのは、主として第１側板３１、第２側板３２、第３側板３３及び第４側板３４である。第１側板３１は、容器本体１４の前部を構成する。第２側板３２は、容器本体１４の後部を構成する。第３側板３３は、容器本体１４の左側部を構成する。第４側板３４は、容器本体１４の右側部を構成する。第１側板３１の左側となる縁部（図示左側の縁部）には、第３側板３３が側板折目線６１を介して連設されている。第１側板３１の右側となる縁部（図示右側の縁部）には、第４側板３４が側板折目線６２を介して連設されている。第３側板３３には、第２側板３２が側板折目線６３を介して連設されている。第２側板３２には、取付面３５が取付面折目線６４を介して連設されている。容器本体１４の側部には、容器本体１４を開口するための第２破断線９２が第１側板３１、第２側板３２、第３側板３３、第４側板３４及び取付面３５を横切るように形成されている。
【００２０】
図１、図２に示すように、容器本体１４の開口部１５は、第１側板３１、第２側板３２、第３側板３３及び第４側板３４の上側の縁部で構成される。第１側板３１の上側の縁部は、開口部１５の第１口縁部を構成する。第１側板３１の上側の縁部には、蓋部１７が連設される。蓋部１７については後述する。第２側板３２の上側の縁部は、開口部１５の第２口縁部を構成する。第２側板３２の上側の縁部には、補助板１８が連設される。補助板１８については後述する。第３側板３３の上側の縁部、及び第４側板３４の上側の縁部は、開口部１５の第３口縁部を構成する。第３側板３３の上側の縁部には、折込板３６が折込板折目線６５を介して連設されている。第４側板３４の上側の縁部には、折込板３７が折込板折目線６６を介して連設されている。折込板３６及び折込板３７は、第３口縁部の近傍であって、第２口縁部側の端縁に突条片３８を有する。
【００２１】
容器本体１４の底部１６は、主として第１底板４１、第２底板４２、第３底板４３及び第４底板４４で構成されている。第１底板４１は、第１側板３１に底板折目線８１を介して連設されている。第２底板４２は、第２側板３２に底板折目線８２を介して連設されている。第３底板４３は、第３側板３３に底板折目線８３を介して連設されている。第４底板４４は、第４側板３４に底板折目線８４を介して連設されている。容器本体１４を筒状にし、第１底板４１、第２底板４２、第３底板４３及び第４底板４４を組み合わせることで底部１６を構成する。
【００２２】
蓋部１７は、閉封状態において開口部１５を閉塞し、開封状態において開口部１５を開放する部分である。蓋部１７は、主として閉塞板２１、差込板２２、及び係止板２３で構成されている。閉塞板２１は、閉封状態において開口部１５を閉塞する部分である。閉塞板２１は、第１側板３１の上側の縁部つまり第１口縁部に第１折目線である閉塞板折目線６７を介して連設されている。差込板２２は、閉塞板２１の閉塞板折目線６７と対向する端縁に第２折目線としての差込板折目線６８を介して連設されている。差込板２２は、開口部１５を閉塞板２１で閉塞した状態において、容器本体１４の内側に差し込む部分である。
【００２３】
蓋部１７には、係止板２３が形成されている。係止板２３は、差込板２２とともに後述する補助前面板５２の自由端縁と係合して包装用容器１１の閉封状態を維持する部分である。係止板２３は、係止部２３ａと係止保持部２３ｂを有する。係止部２３ａは、差込板２２の差込板折目線６８と対向する端縁に係止板折目線６９を介して連設されている。本実施形態では、係止保持部２３ｂは、第２折目線としての係止板折目線６９上を始点及び終点として差込板２２側へ突出する第１切線７２によって形成される。係止保持部２３ｂは、係止部２３ａに折目線を介さずに連設される。尚、第１切線７２は、第２折目線としての係止板折目線６９上を始点及び終点とせず、係止部２３ａ上を始点及び終点としてもよい。
【００２４】
蓋部１７は、閉封状態において折込板３６及び折込板３７の突条片３８に対応する位置に（図３参照）、蓋部１７の側端縁を始点とし、蓋部１７の自由端側に突出する鉤状切線７１を形成している。
【００２５】
補助板１８は、第１口縁部と対向する第２口縁部に、閉封状態において容器本体１４に対して起立させる部分である。補助板１８は、主として補助背面板５１、及び補助前面板５２で構成されている。補助背面板５１は、第２側板３２に折目線を介さずに連設される。補助背面板５１には、補助前面板折目線７３を介して補助前面板５２が連設される。補助背面板５１と補助前面板５２には、補助前面板折目線７３に対して線対称の位置に取付孔５４が形成される。閉封状態において補助背面板５１は容器本体１４に対して起立した状態とされる。補助前面板５２は、蓋部１７を閉封状態から開封状態とするときに係止板２３の係止部２３ａと差込板２２と係合する部分である。
【００２６】
次に、包装用容器１１を組み立てる場合について説明する。図２、図３に示すように、第１側板３１、第２側板３２、第３側板３３、第４側板３４及び取付面３５は、側板折目線６１、側板折目線６２、側板折目線６３及び取付面折目線６４で山折りして容器本体１４の側部を筒状に折り曲げ、取付面３５を第４側板３４に固定して容器本体１４を筒状に固定する。底部１６は、第１底板４１、第２底板４２、第３底板４３及び第４底板４４を組み合わせることで構成する。補助板１８の補助前面板５２は、補助前面板折目線７３で折り返して補助背面板５１との内面に重ねた状態とする。この状態で容器本体１４に物品８が収容される。
【００２７】
続いて、包装用容器１１を閉封状態とする場合には、折込板３６及び折込板３７を容器本体１４の開口部１５まで折り曲げる。蓋部１７は、差込板２２を第１折目線としての差込板折目線６８で山折りする。さらに、蓋部１７は、係止板２３を第２折目線である係止板折目線６９で谷折りする。すると、係止板２３の係止部２３ａは、差込板２２と係止板折目線６９で重なるように折り畳まれる。係止板２３の係止保持部２３ｂは、差込板２２から切り起こされ、差込板２２の自由端縁側（係止板折目線６９側）よりも外側へ突出するようになる。
【００２８】
蓋部１７は、この係止板２３と補助前面板５２が接触するように、閉塞板折目線６７を中心軸として蓋部１７全体を後方へと回動させる。すると、図４に示す状態から図５に示すように、係止板２３全体が補助前面板５２に接触した状態で、係止板２３の係止保持部２３ｂが、折込板３６及び折込板３７、並びに補助前面板５２との隙間に挿入される。さらに、係止板２３及び差込板２２を容器本体１４の内側へと差し込むことで、図６に示す包装用容器１１は開口部１５が閉塞板２１によって閉塞された閉封状態とされる。
【００２９】
閉封状態においては、蓋部１７の鉤状切線７１と折込板３６及び折込板３７の突条片３８が係合することで、包装用容器１１の閉封状態が維持される。更に、閉封状態においては、折込板３６及び折込板３７の突条片３８と補助板１８の第２切線７７とが係合することによっても包装用容器１１の閉封状態が維持される。
【００３０】
包装用容器１１から物品８を取出す場合には、容器本体１４の側部に形成した第２破断線９２を引くなどして破断することで、容器本体１４の内部を開放して物品８を取出す。
【００３１】
本実施形態において、蓋部１７をあけて開口部１５を開封状態としようとすると、以下のようになる。つまり、閉塞板折目線６７を中心軸として、蓋部１７全体を前方へと回動させ閉塞板２１を持ち上げようとしても、第２側板３２の容器本体１４の内側に重ねあわされた補助前面板５２の自由端部が、側面視において略Ｖ字状になっている差込板２２と係止板２３の係止部２３ａに係入し、補助前面板５２の自由端縁が係止板折目線６９と接触して、閉塞板２１の持ち上がりを阻む。そのため、蓋部１７を開放して開口部１５を開封状態とするためには、蓋部１７を破損させる必要がある。
【００３２】
ここで、図７に示すように、補助板１８の自由端縁である補助前面板５２の自由端縁と、係止板２３の係止部２３ａと差込板２２の係止状態を解除するためには、係止板２３を変位させなくてはならない。つまり、図８に示すように、補助前面板５２と係合する状態では、係止板２３の係止部２３ａは、差込板２２と側面視において、略Ｖ字状になっている。
【００３３】
予定していない開口は、閉塞板２１の強引な引き上げ等によって行われ、図８ａに示す側面視において略Ｖ字状の係止板２３の係止部２３ａと差込板２２の状態から、折り曲げ前の状態すなわち係止板２３が折り曲げ戻された差込板２２と係止板２３が略同一平面となる、側面視における略Ｉ字状となり、係止状態が解除される（図８ｃ参照）。
【００３４】
ここで、図７に示すように、容器本体１４と収容された物品８とがなす前後方向の隙間幅α１が、係止板折目線６９から係止板２３の係止部２３ａの自由端縁までの長さα２程度にある場合には、図８ｂに示すように係止板２３の端縁が係止板折目線６９を中心軸として回動し、その端縁の軌跡が円弧を描いて略Ｉ字状に曲げ戻される。つまり、係止板２３が曲げ戻される条件はα１≧α２の関係である。
【００３５】
しかし、本実施形態において、係止板２３は、係止保持部２３ｂを有するため、係止板２３の自由端縁が、係止板折目線６９を中心軸として回動して差込板２２と係止板２３とが略Ｉ字状に近づこうとすると、同時に係止保持部２３ｂの自由端縁が係止部２３ａの自由端縁とは反対の方向に円弧を描いて、差込板２２内の開口に戻される。
【００３６】
したがって、もし隙間幅α１が係止板折目線６９から係止部２３ａの自由端縁の長さ以上であっても、隙間幅α１が係止部２３ａの自由端縁から係止保持部２３ｂの自由端縁までの長さα３未満であれば、係止保持部２３ｂは、物品８と接触する。そのため、係止部２３ａと差込板２２とが略Ｖ字形状から略Ｉ字形状へと変異することを阻み、係止部２３ａと差込板２２並びに補助前面板５２の自由端縁による係止状態がより強固となり、蓋部１７が開口し難くなる。
【００３７】
したがって、無理やり蓋部１７を開口させようとすると、蓋部１７が破損してしまう。また、別実施形態として、図９に示すように、蓋部１７の差込板折目線６８上に第１破断線９１を設けることで、無理やり蓋部１７を開放して開口部１５を開封状態とすると、第１破断線９１に圧力がかかり破断する。
【００３８】
以上説明した本実施形態に係る包装用容器１１によれば、蓋部１７は、第１口縁部に連設される閉塞板２１と、閉塞板２１の第１口縁部と対向する縁部に第１折目線（閉塞板折目線６７）を介して連設される差込板２２と、差込板２２の第１折目線と対向する縁部に第２折目線（係止板折目線６９）を介して連設される係止部２３ａと、係止部２３ａより延長され係止板折目線６９上又は係止部２３ａを始点及び終点として差込板２２側へ突出する第１切線７２によって差込板２２から分離可能に設けられる係止保持部２３ｂと、を有する係止板２３と、を備え、閉封状態において、補助板１８の自由端縁が容器本体１４の内側にあり、差込板２２と係止板２３とは係止板折目線６９で折り畳まれて、係止保持部２３ｂが差込板２２と分離されて、容器本体１４の内側にあり、閉封状態から開封状態とする場合、補助板１８の自由端縁が差込板２２と係止板２３の係止部２３ａとの間に位置するとともに、係止板２３の係止保持部２３ｂが容器本体１４の内側にある物品８と接触し差込板２２と係止板２３が折り畳まれた状態を保持する。
【００３９】
このため、閉封状態から開封状態とするため蓋部１７を回動させる場合に、補助板１８の自由端縁が差込板２２と係止板２３の係止部２３ａとの間に位置することで、補助板１８の自由端縁で差込板２２と係止板２３が係止される状態となる。そのため、開口部１５の蓋部１７による閉封状態が維持できる。さらに、係止板２３の係止保持部２３ｂが容器本体１４の内側にある物品８と接触するため、差込板２２と係止板２３とが折り畳まれた状態を保持することができ、強固に、開口部１５の蓋部１７による閉封状態を維持することができる。したがって、異物を混入したり、物品８を取り換えたりする等の改竄を防止することができる。また、係止板２３を折り畳み差込板２２とともに容器本体の内側にすることで蓋部１７が開口部１５を閉塞できるため、物品を収容する作業が煩雑となることもない。
【００４０】
補助板１８は、補助前面板５２と補助背面板５１とを有し、閉封状態において補助背面板５１は容器本体１４に対して起立させた状態とし、補助前面板５２は補助背面板５１と重ねられる。このため、第１口縁部に連設される補助板１８において、補助背面板５１が容器本体１４に対して起立した状態であるので、その補助背面板５１と重ねられる補助前面板５２も第１口縁部よりも外側に位置する。そのため、補助板１８が開口部１５の第１口縁部から容器本体１４の外側へと突出するため、突出した部分である補助背面板５１及び／又は補助前面板５２に吊り下げ部（取付孔５４）や印刷等による広告宣伝の機能を付することができる。また、補助板１８は、閉封状態において容器本体１４の内面に重ねられる補助前面板５２を備える。このため、補助板１８が容器本体１４に対して起立した状態を保つことができ、補助板１８が折れ曲がりにくくなる。
【００４１】
容器本体１４は、第２口縁部の両端に隣接する第３口縁部に折込板３６・３７が連設され、折込板３６・３７は、第３口縁部の近傍であって、第１口縁部側の端縁に突条片３８・３８を有し、蓋部１７は、閉封状態において突条片３８・３８に対応する位置に、前記蓋部１７の側端縁を始点とし、前記蓋部１７の自由端側に突出する鉤状切線７１・７１を有している。このため、より強固に閉封状態を維持することができる。
【００４２】
補助板１８は、開口部１５の閉塞状態において鉤状切線７１・７１と相対する位置に第２切線７７・７７を有する。このため、より強固に閉封状態を維持することができる。
【００４３】
包装用容器１１１は、開口部１５の近傍に第１破断線９１を有する。このため、開口部１５の閉封状態を開封状態としようとすれば、第１破断線９１が破断し、開口部１５が開口された事実が明確になる。
【００４４】
包装用容器１１は、開口用の第２破断線９２を有する。このため、開口用の第２破断線９２を有することで、購入者等の正当な開封者は、第１破断線９１を破断しなくても、開口用の第２破断線９２を破断して容易に開口することができる。また、また、第２破断線９２が破断された後は、開口された事実は明確となる。そのため、包装用容器１１内の物品の改竄防止となる。
【００４５】
以上、本考案の実施の形態について説明したが、本考案は上記実施の形態に限定されるものではなく、更に様々な変更が可能である。  
【００４６】
本実施形態では、図２に示すように、補助板１８を補助前面板５２のみとし、補助板１８を容器本体１４に対して起立させず、閉封状態において補助前面板５２を容器本体１４の内面に重ねられるようにしてもよい。この場合、補助板１８が包装用容器１１の外部に露出せず、外観体裁が良好である。
【００４７】
また、本実施形態では、包装用容器１１の閉封状態を維持するため、折込板３６及び折込板３７の突条片３８、蓋部１７の鉤状切線７１、及び補助板１８の第２切線７７を設けたが、全てを設ける必要はなく適宜選択して形成するようにしてもよい。
【００４８】
また、別実施形態では、鉤状切線７１・７１を結ぶように差込板折目線６８上に第１破断線９１を形成したが、この第１破断線９１に加えて、図９に示すように、第１破断線１９１・１９１を閉塞板２１上に形成してもよい。この場合、係止板２３と差込板２２並びに補助前面板５２の自由端縁との係止状態を解除して開封状態にしようとすれば、第１破断線９１・１９１が破断して閉塞板２１が破れるため、開口された事実が明確になる。
【符号の説明】
【００４９】
８      物品
１１    包装用容器
１４    容器本体
１５    開口部
１７    蓋部
１８    補助板
２１    閉塞板
２２    差込板
２３    係止板
２３ａ  係止部
２３ｂ  係止保持部
３６    折込板
３７    折込板
３８    突条片
５１    補助背面板
５２    補助前面板
５４    取付孔
５５    被係止部
６７    閉塞板折目線（第１折目線）
６８    差込板折目線
６９    係止板折目線（第２折目線）
７１    鉤状切線
７２    第１切線
７７    第２切線
９１    第１破断線
９２    第２破断線
１１１  包装用容器
１９１  破断線
【図１】
0003183806.tif 000003
【図２】
0003183806.tif 000004
【図３】
0003183806.tif 000005
【図４】
0003183806.tif 000006
【図５】
0003183806.tif 000007
【図６】
0003183806.tif 000008
【図７】
0003183806.tif 000009
【図８】
0003183806.tif 000010
【図９】
0003183806.tif 000011